(57)【要約】【課題】軽量で比較的小型な物品の配送時に、物品を衝撃から十分に保護するとともに容易に梱包できる包装梱包具を提供する。【解決手段】包装梱包具は、物品載置面材３と物品載置面材３の折り目４ａを境界にして形成される折下げ面材４とに区画された物品載置ボード１と、物品載置面材３上に載置された物品Ｍを覆うことによって物品Ｍを物品載置ボード１に固定する伸縮性のある円筒状の伸縮固定部材２とを備えている。折下げ面材４は、折り目４ａを境界に物品載置面材３の上方向に折曲し、伸縮固定部材２を円筒部より物品載置ボード１に挿入する。物品載置面材３と伸縮固定部材２の間に形成された隙間より物品Ｍを挿入し、物品載置面材３に載置する。折下げ面材４を物品載置面材３の下方向に折曲し、引張力で伸縮固定部材を緊張させることで物品を固定する。【選択図】図９
2017218208.tif 000002
【特許請求の範囲】
【請求項１】
物品載置面材と該物品載置面材の両端部の折り目を境界にして形成される折下げ面材とに区画された物品載置ボードと、
前記物品載置面材上に載置された物品を覆うことによって当該物品を前記物品載置ボードに固定する伸縮性のある円筒状の伸縮固定部材と、
を備えることを特徴とする包装梱包具。
【請求項２】
前記物品載置面材が、前記伸縮固定部材を引掛け固定する切欠き部を前記折下げ面材との境界の角部に有することを特徴とする請求項１に記載の包装梱包具。
【請求項３】
前記物品載置ボードが、前記物品載置ボードの前記折下げ面材を形成した両端部とは異なる両端部の折り目を境界にして形成される上向きに折上げる折上げ面材を有することを特徴とする請求項１又は２に記載の包装梱包具。
【請求項４】
箱体と該箱体に一辺が回動自在となるように固定された蓋体を具備し、該箱体の底部に置載された前記請求項１〜３のいずれかの包装梱包具の物品載置面材の物品を前記伸縮固定部材によって載置固定している側の表面の両端を押圧する押え側板を前記蓋体の両側縁部に設け、且つ、前記蓋体の前記一辺と対向する他辺に回動自在に固定された前側板の両側に前記箱体の両側に形成した嵌入穴に挿入自在な係止片を形成したことを特徴とする軽量物品宅配用箱。
【発明の詳細な説明】
【技術分野】
【０００１】
この発明は、宅配便で軽量の物品を配送する包装梱包具に関する。
【背景技術】
【０００２】
従来より、宅配便にて物品を配送する場合には、物品を衝撃から十分に保護する梱包具が提案されている。
【０００３】
比較的嵩張らない物品を対象とした梱包具として、物品を載置する板材に物品を覆うための抑えシートが接着固定された梱包具が知られている。これらの梱包具は、板材裏面に抑えシートを接着して板材とシートを一体化させており、板材と抑えシートの間に物品を挿入してから板材の両端部に設けられた立下り部材を板材の下方向側に折り曲げることにより、抑えシートを緊張させて物品を板材に固定している。（特許文献１、特許文献２参照）
【先行技術文献】
【特許文献】
【０００４】
【特許文献１】特開２０１１−１１１２０５号公報
【特許文献２】特開２００４−２７６９５７号公報
【発明の概要】
【発明が解決しようとする課題】
【０００５】
しかしながら、前記抑えシートが接着された板材の梱包具は、物品を固定している抑えシートが板材裏面で接着固定されているだけなので、配送中に強い衝撃を受けた場合、抑えシートが剥離して物品が配送用箱体内で横滑りし、物品が破損する恐れがある。
【０００６】
また、板材と抑えシートが一体化しているため、梱包できる物品の形状が制約されやすい。例えば、比較的大きな物品を梱包する場合には、抑えシートが強く緊張し物品を強固に固定できるが、比較的小型な物品を梱包する場合には、板材と抑えシートとの間に空隙が生じやすく、緊張力が弱まり物品が横滑りする可能性がある。
【０００７】
さらに又、板材と抑えシートが一体化していることにより、物品の出入作業が行い難く梱包に慣れていない一般の利用者には扱いにくい可能性が高い。
【０００８】
そこで本発明は、軽量で比較的小型な物品の配送をする場合に、物品を衝撃から十分に保護するとともに容易に物品を梱包することができる包装梱包具を提供することを目的とする。
【課題を解決するための手段】
【０００９】
本発明の包装梱包具は、物品を載置する物品載置面材と、該物品載置面材の両端部の折り目を境界にして形成される折下げ面材とに区画された物品載置ボードと、前記物品載置面材上に載置された前記物品を覆うことによって前記物品を前記物品載置ボードに固定する伸縮性のある円筒状の伸縮固定部材と、を備えることを特徴としている。
【００１０】
又、本発明の包装梱包具は、前記物品載置面材が、前記伸縮性固定部材を引掛け固定する切欠き部を前記折下げ面材との境界の角部に有することを特徴としている。
【００１１】
又、本発明の包装梱包具は、前記物品載置ボードが、該物品載置面材の前記折下げ面材を形成した両端部とは異なる両端部の折り目を境界にして形成される上向きに折上げる折上げ面材を有し、配送用箱体に出入する際の持ち手として利用できることを特徴としている。
【００１２】
更に又、本発明の軽量物品宅配用箱は、箱体と該箱体に一辺が回動自在となるように固定された蓋体を具備し、前記箱体の底部に置載された前記物品載置面材の物品を前記伸縮固定部材によって載置固定している側の表面両端を押圧する抑え側板を前記蓋体の両側縁部に設け、且つ、前記蓋体の前記一辺と対向した他辺である回動自在に固定された前側板の両側に、前記箱体の両側に形成された嵌入穴に挿入自在な係止片を有することを特徴としている。
【発明の効果】
【００１３】
本発明の包装梱包具によると、物品設置ボードは、物品載置面材の両端部に折り目を境界とした折下げ面材を具備している。使用時においては、まず、折下げ面材を折り目に沿って物品設置面材の上方向に折曲させた物品載置ボードに、伸縮性のある円筒状の伸縮固定部材を、円筒部の空洞となっている箇所から折下げ面材に対して平行となる方向に挿入する。このとき、前記折下げ面材を物品載置面材の上方向に折曲しているため、物品載置面材と伸縮固定部材との間に隙間が形成される。そして、この隙間から物品載置面材に物品を挿入し、前記折下げ面材を片方ずつ順に下方向に折曲する。このとき伸縮固定部材に引張力が生じ緊張するため、物品を物品載置ボードに固定することができる。伸縮固定部材は円筒状でしかも緊張しているので、配送中に物品に衝撃が加えられた場合においても物品載置面材から剥離することはなく、物品を十分に保護することができる。又、下方へ折曲して伸縮固定部材によって止められている折下げ面材がクッションの役割を果たして、物品に振動が伝わり難くなっている。さらに、物品載置ボードと伸縮固定部材が別体となっているため、物品の形状に合わせて伸縮性の異なる伸縮固定部材を選択することができ、梱包する物品を最適な状態で配送することができる。
【００１４】
又、本発明の包装梱包具によると、前記物品載置面材には、前記物品載置ボードを前記伸縮固定部材に挿入した際、前記伸縮固定部材の端を引掛ける切欠き部を有しているため、前記伸縮固定部材が運搬途中の振動等によってたわむことがないので、より強固に前記伸縮固定部材を前記物品載置ボードに固定することができる。
【００１５】
又、本発明の包装梱包具によると、前記物品載置面材は、前記折下げ面材を形成した両端部とは異なる両端部に折り目を境界とした折上げ面材を具備している。そのために、前記物品を前記物品載置面材に載置し、前記伸縮固定部材によって前記物品が保持された状態にあるとき、前記折上げ面材を前記物品設置面材上方に折上げることにより、前記物品載置ボードを配送用箱体に収納する際、前記折上げ面材を持ち手として前記物品載置ボードの出し入れを容易にすることができる。
【００１６】
又、軽量物品用宅配用箱は、箱体と該箱体に一辺が回動自在となるように固定された蓋体を具備している。前記箱体に、前記物品が載置され前記伸縮固定部材によって保持された前記物品載置ボードを前記箱体の底面に置載し収納してから、前記蓋体を閉じると、前記物品を前記伸縮固定部材によって載置固定している側の前記物品載置面の表面両端を押圧する押え側板を前記蓋体の両側縁部に設けているので、前記箱体の底面に収納された物品載置ボードの上下動を抑制することができる。さらに、前記蓋体は、前記一辺と対向する他辺である回動自在に固定された前側面の両側に前記箱体の両側にある嵌入穴に挿入自在な係止片を具備している。前記係止片を前記嵌入穴に挿入することにより、前記蓋体と箱体を密着させ、内部に置載された前記物品載置ボードの振動をさらに抑えることができる。又、前記物品載置ボードの外周囲は、前記箱体の周側板の内周囲で囲まれて水平方向の移動は阻止され、又、水平方向に強い衝撃が生じた場合には、前記伸縮固定部材の伸縮によってその衝撃を緩和できる。前記物品載置ボードの下方は折下げ面材によってクッション性を有しており、上方からは押え側板によって下方へ押さえつけられるために、前記物品載置ボードは前記箱体の内部で移動不能で、しかも前記説明のように上下左右方向の衝撃も緩和されるため、破損し易い物品であっても運搬し得ることができる。前記折上げ面材を具備している前記物品載置ボードの場合には、この前記折上げ面材の内側面に密着するようにして前記押え側板で前記物品載置ボードの表面に押えるようにすれば、より安定して前記箱体に収納できる。
【図面の簡単な説明】
【００１７】
【図１】本発明の実施形態の物品載置ボードの斜視図。
【図２】図１のＡ−Ａ断面図。
【図３】伸縮固定部材の物品載置ボードへの挿入を説明する斜視図。
【図４】図３のＢ−Ｂ断面図。
【図５】物品の物品載置面材への載置を説明する斜視図。
【図６】図５のＣ−Ｃ断面図。
【図７】折下げ面材の物品載置面材下方への折曲を説明する斜視図。
【図８】図７のＤ−Ｄ断面図。
【図９】折下げ面材の物品載置面材下方への折曲を説明する斜視図。
【図１０】図９のＥ−Ｅ断面図。
【図１１】切欠き部を設けた物品載置ボードの斜視図。
【図１２】図１１の折下げ面材の物品載置面下方への折曲を説明する平面図。
【図１３】切欠き部及び折上げ面材を設けている物品載置ボードの斜視図。
【図１４】図１３の物品載置ボードに物品を載置固定した斜視図。
【図１５】軽量物品宅配用箱の斜視図。
【図１６】物品載置ボードが収納された軽量物品宅配用箱の斜視図。
【図１７】図１６の一部省略Ｆ−Ｆ断面図。
【図１８】図１６のＧ−Ｇ断面図。
【発明を実施するための形態】
【００１８】
この発明の包装梱包具の最良の実施形態について以下図面を参照しつつ説明する。この発明の包装梱包具は、図３に示されるように、物品載置ボード１と、伸縮固定部材２とを具備して成るものである。さらに、前記物品載置ボード１は、図１及び図２に示されるように、物品Ｍを載置し支持する物品載置面材３と、前記物品載置面材３の両端部に形成された前記物品載置面材３に対して平行に引かれた折り目４ａを境界とする折下げ面材４とに区画されている。
【００１９】
前記物品載置ボード１は、例えば、段ボールシートなどの厚紙を用いることができる。又、外側面に防水性があれば一層好ましい。図１に示されるように、前記物品載置面材３は矩形であり、前記物品載置ボード１の中央部に位置する領域であり、前記折下げ面材４は、前記折り目４ａを底辺とする長尺な台形状を有し、前記折り目４ａを境界として、使用時においては前記物品載置面材３の下方へ折曲する部材であるが、物品Ｍを物品載置面材３上に載置する時には上方へ折曲しておく。
【００２０】
前記伸縮固定部材２は、前記物品載置面材３に載置された前記物品Ｍを覆い前記物品載置ボード１に固定する部材である。図３に示されるように、伸縮固定部材２は伸縮性のある円筒状の筒状シート面材５で、硬い材質の場合には、前記物品Ｍが傷つくことが生じる恐れがあるので、材質は弾性力のあるゴムや合成樹脂などが好適に用いられ、これらを網目の目の粗い細かいを問わず編んで円筒状にしたものであっても、一枚の薄シート状のものを円筒状に形成したものであっても、その材質や形状はとくに限定されるものではない。この筒状シート面材５の円筒部の両端には、前記物品載置ボード１の両端縁に引掛り易くするために、又、容易に覆うことができる手掛かりとするための締め付け材６を有している。また、前記伸縮性固定部材２は、縦方向の長さが、前記物品載置面材３の長辺以上の長さであれば好ましいが短くてもよい。円筒部の横方向の幅は前記物品載置面材３の横幅以上に伸びるものであればよい。また当然ながら、前記伸縮固定部材２によって前記物品載置面材３に上方から押え付けられて固定される前記物品Ｍは、外からの伸縮固定部材２の凹凸形状によってその載置位置を確認できるが、確実に前記物品を梱包するために外から視認できれば尚望ましい。したがって、前記伸縮固定部材２は、前記したような網目構造もしくは透明又は半透明等のシート面材とするのが好適である。
【００２１】
次にこの実施形態において、上記の包装梱包具を用いて前記物品Ｍを梱包する要領を説明する。図３及び図４に示すように、まず、前記折下げ面材４を前記物品載置面材３の上方向側へやや折曲し、前記伸縮固定部材２の円筒部両端に形成された締め付け材６の一方を、前記物品載置面材３の前記折下げ面材４を形成した両端とは異なる両端部の幅を包括するように開けて、前記折下げ面材４に対して平行となる方向から、筒状シート面材５が前記物品載置ボード１全体を覆うように挿入する。
【００２２】
このとき、図５及び図６に示すように、前記物品載置面材３の上方向に折曲した折下げ面材４によっては、前記物品載置面材３と前記伸縮固定部材２との間に隙間を形成しているので、この隙間から前記折下げ面材４に対して平行となる方向より前記物品Ｍを挿入し、前記物品Ｍを前記物品載置面材３に載置する。前記物品Ｍの厚さが薄い場合であっても、伸縮固定部材５の縮小力によって隙間は僅かであるので、折下げ面材４の厚さよりも厚いものであれば殆どの前記物品Ｍについて載置固定可能である。
【００２３】
図７から図１０において、前記物品Ｍが前記伸縮固定部材２覆われた状態で、前記折下げ面材４を前記物品載置面材３の下方向に一片ずつ折曲させる。この時、前記筒状シート面材５に引張力が生じ、前記伸縮固定部材２が緊張することによって前記物品Ｍが物品載置面材３に上方から押圧されて固定される。
【００２４】
また、図７及び図８に示すように、前記折下げ面材４は、一片のみを折曲させただけであっても、前記伸縮固定部材２を緊張させることができ、この場合には、略三角柱状の隙間が物品載置面材３の片方に形成される。したがって、前記折下げ面材４の一片を前記物品載置面材３の表面側に折上げ、残りのもう一片を前記物品載置面材３の裏面に折下げた状態で、前記物品載置面材３の両面に形成される三角柱状の隙間に各々前記物品Ｍを挿入して前記物品Ｍを固定することもできる。この場合には、１つの前記物品載置ボード１に２つの前記物品Ｍを固定できる。これを配送用箱体に収納するときには、前記物品載置ボード１を垂直方向に保持させた状態で収納させてもよい。配送用箱体の形状によっては、前記物品載置ボード１を複数個並列配置させることも可能であり、その場合には効率的に前記物品Ｍを配送することができる。
【００２５】
また、図１１、図１２に示すように、前記物品載置ボード１は、前記物品載置面材３に切欠き部７を前記折下げ面材４との境界の角部に形成してもよい。前記切欠き部７は、前記折り目４ａに対して前記物品載置面材３側に平行な一辺と、前記折り目４ａに対して前記物品載置面材３側に垂直な一辺とを、二辺が交錯する点でＬ字型に切欠いており、前記伸縮固定部材２の締め付け材６を引掛けることで、筒状シート面材５の両端縁が固定され、より確実に前記伸縮固定部材２を前記物品載置面材３に固定することができ、搬送途中の振動等によって前記物品Ｍが前記物品載置ボード面材３からずれる恐れがなくなる。
【００２６】
更に、図１３に示すように、前記物品載置面材３に、前記折下げ面材４を形成した両端部とは異なる両端部に形成した折り目８ａを境界にして折上げ面材８を設けてもよい。この場合は、図１４に示すように、前記折上げ面材８を、前記折り目８ａを境界として前記物品載置面材３の上方向に折曲することにより、配送用箱体に前記物品載置ボード１を収納させる際、前記折上げ面材８を持ち手として前記物品載置ボード１の出入を容易にすることができる。
【００２７】
また、前記物品Ｍを固定した前記物品載置ボード１は、図１５、図１６に示すように、軽量物品宅配用箱体９に収納して運搬するものであって、該軽量物品宅配用箱９は、箱体９１と該箱体９１の蓋体９２を具備している。前記箱体９１は、前記物品載置ボード１を載せる底面板９１ａと該底面板９１ａの周囲を囲み所定高さを有する側面板９１ｂからなり、この側面板９１ｂの後方の側面板９１ｂの上方に、開閉自在に回動するように前記蓋体９２の蓋面板９２ａの一辺が固定されている。前記蓋体９２の前記蓋面材９２ａは、前記箱体９１の底面板９１ａの上方を覆いその両側に前記側面板９１ｂの高さより少し短いかほぼ同じ高さの押え側板９２ｂを具備すると共に、前記側面板９１ｂに固定した蓋面板９２ａの辺と対向する他辺に回動自在に前側板９２ｃを具備している。この前側板９２ｃの両側には、前記側面板９１ｂの前方端側に設けている嵌入穴９１ｃに出入自在な係止片９２ｄを有している。
【００２８】
上記構成からなる軽量物品宅配用箱９に、前記物品Ｍを伸縮固定部材２によって載置固定した物品載置ボード１を収納して配送に供する場合には、前記箱体９１の底面板９１ａ上に前記物品載置ボード１を載せてから、前記蓋体９２を閉めて係止片９２ｄを嵌入穴９１ｃに差し込んで固定するだけでよい。前記蓋体９２を閉めると、前記押さえ側板９２ｂが前記物品載置ボード１の両端上面を押えるために、前記物品載置ボード１は、上方向の移動が阻止される。又、前記物品載置ボード１の裏面には折下げ面材４があるので、これによってクッション性が維持されることから、前記軽量物品宅配用箱９が、搬送中に落下したり衝突するなどして衝撃を受けた時にも、前記物品Ｍへの衝撃は緩和されて前記物品Ｍの安全が保持される。更に、前記物品Ｍの前後左右方向が前記物品載置ボード１の周囲が箱体９１の４つの側面板９１ｂに囲まれていることから移動は生じない。又、前記物品Ｍに衝撃による加速度が四方八方のいずれからでも伝わった場合には、前記伸縮固定部材２の伸縮によって緩和され安全が保たれる。
【００２９】
前記物品載置ボード１に前記折上げ面材８を設けている場合には、前記蓋体９２を閉めた時に、前記蓋体９２の押え側板９２ｂは、前記折上げ面材８の内側に面するようにして、外側に位置している箱体９１の側面板９１ｂとで前記折上げ面材８を挟むようにすれば、一層強固に安定して前記箱体９内に収納できる。
【００３０】
前記物品Ｍを軽量物品宅配用箱９から取り出す際には、前述の逆の順序でまず前記嵌入穴９１ｃより前記係止片９２ｄを回動させて引き出してから前記蓋体９２を持ち上げて、前記物品載置ボード１を取り出せばよい。この時、前記折上げ面材８がある場合には、これを手で持って持ち上げられるので便利である。そして、前記伸縮固定部材２を前記物品載置ボード１から取り外して前記物品Ｍを取り出せる。このように、本実施形態の包装梱包具及び軽量物品宅配用箱９は、簡単な操作で梱包し且つ箱詰めでき、取り出す際にも簡単な操作で行えることに加えて、各部材を傷つけたり破損することがないため、繰り返しの使用が可能となり、省資源にも貢献できる。
【産業上の利用可能性】
【００３１】
この発明の包装梱包具及び軽量物品宅配用箱は、上述のような種々の利点から、軽量で比較的小型な物品を配送する場合に好適である。また、構造の仕組みが単純明快であることから、幅広い世代の人々が容易に取り扱うことができると予想され、配送業者だけでなく一般の利用者からも需要が期待できる梱包具といえる。
【符号の説明】
【００３２】
１    物品載置ボード
２    伸縮固定部材
３    物品載置面材
４    折下げ面材
４ａ  折り目  
５    筒状シート面材
６    締め付け材
７    切欠き部
８    折上げ面材
８ａ  折り目
９    軽量物品宅配用箱
９１  箱体
９１ａ  底面板
９１ｂ  側面材
９１ｃ  嵌入穴
９２  蓋体
９２ａ  蓋面板
９２ｂ  押え側板
９２ｃ  前側面
９２ｄ  係止片
Ｍ    物品
【図１】
2017218208.tif 000003
【図２】
2017218208.tif 000004
【図３】
2017218208.tif 000005
【図４】
2017218208.tif 000006
【図５】
2017218208.tif 000007
【図６】
2017218208.tif 000008
【図７】
2017218208.tif 000009
【図８】
2017218208.tif 000010
【図９】
2017218208.tif 000011
【図１０】
2017218208.tif 000012
【図１１】
2017218208.tif 000013
【図１２】
2017218208.tif 000014
【図１３】
2017218208.tif 000015
【図１４】
2017218208.tif 000016
【図１５】
2017218208.tif 000017
【図１６】
2017218208.tif 000018
【図１７】
2017218208.tif 000019
【図１８】
2017218208.tif 000020